(57)【要約】【課題】本発明は、放電ランプの経時変化に伴う光軸からのずれを補正することが可能な照明光学系を提供する。【課題手段】照明光学系１０は、放電ランプ２０と、放電ランプ２０からの光を反射する反射鏡３０と、反射鏡３０からの反射光を２つに分離するビームスプリッター５０と、ビームスプリッター５０からの一方の光を入射するライトトンネル４０と、その他方の光を受光し放電ランプ２０の位置を検出するための検出信号を出力するフォトセンサー６０と、フォトセンサー６０からの検出信号に基づき放電ランプ２０の位置を制御する制御部７０と、制御部７０に制御され放電ランプ２０の位置を調整するランプバーナ駆動部８０とを有する照明光学系。【選択図】  図１
2004239933.tif 000002
【特許請求の範囲】
【請求項１】
放電ランプと、前記放電ランプからの光を反射する反射部材と、前記反射部材からの反射光に基づき前記放電ランプの位置を検出するための検出信号を出力する検出手段と、前記検出手段からの検出信号に基づき前記放電ランプの位置を制御する制御手段とを有する照明光学系。
【請求項２】
前記検出手段は、前記反射部材からの光の一部を分離するビームスプリッターと、前記ビームスプリッターによって分離された光を受光する受光手段とを有し、前記受光手段は、受光した光に応答する電気信号を前記検出信号として出力する、請求項１に記載の照明光学系。
【請求項３】
前記受光手段は、光センサを含み、前記光センサは複数の受光エリアを有し、各受光エリアからそれぞれ受光に応じた電気信号が出力される、請求項２に記載の照明光学系。
【請求項４】
前記複数の受光エリアは、それぞれ等しい受光面積を有し、前記複数の受光エリアの中心が前記反射部材の光軸に一致する、請求項３に記載の照明光学系。
【請求項５】
前記放電ランプの電極は、前記反射部材の光軸方向に配される、請求項３または４に記載の照明光学系。
【請求項６】
前記制御手段は、前記放電ランプを前記反射部材の少なくとも前記光軸方向に移動させるためのアクチェーターを含む、請求項１ないし５いずれかに記載の照明光学系。
【請求項７】
前記アクチェーターは、前記放電ランプを前記光軸方向と直交する面内において移動可能である、請求項１ないし６いずれかに記載の照明光学系。
【請求項８】
前記制御手段は、前記複数の受光エリアから出力された電気信号に基づき前記放電ランプの前記光軸からのずれを判定し、その判定結果に基づき前記アクチェーターの駆動を制御する、請求項１ないし７いずれかに記載の照明光学系。
【請求項９】
前記制御手段は、前記複数の受光エリアから出力された電気信号に基づき各受光エリアの合計の照射面積の値を求め、該照射面積の値が予め定められた閾値よりも大きいと判定したときは、前記アクチェーターを駆動させ、前記照射面積の値が減少するように前記放電ランプを前記光軸方向に移動させる、請求項１ないし８いずれかに記載の照明光学系。
【請求項１０】
前記制御手段は、前記複数の受光エリアから出力された電気信号に基づき各受光エリアの照射面積の値を比較し、比較結果に基づき前記アクチェーターの駆動を制御する、請求項１ないし９いずれかに記載の照明光学系。
【請求項１１】
前記照明光学系はさらに、前記反射部材によって反射された光を入射しこれを伝送する光伝送部材を有する、請求項１ないし１０いずれかに記載の照明光学系。
【請求項１２】
前記光伝送部材は、所定のアスペクト比の入射口を有するライトトンネルまたは光インテグレーターである、請求項１ないし１１いずれかに記載の照明光学系。
【請求項１３】
前記ライトトンネルは、その入射口にアパーチャーが形成された部材を含み、該部材の裏面は反射鏡として機能する、請求項１２に記載の照明光学系。
【請求項１４】
請求項１ないし１３いずれかに記載の照明光学系と、前記照明光学系からの光を変調する変調手段と、前記変調手段によって変調された光を投射する投射手段とを有する、プロジェクタ。
【請求項１５】
前記変調手段は、ＤＭＤまたは液晶デバイスを含む、請求項１４に記載のプロジェクタ。
【請求項１６】
前記プロジェクタはさらに、前記照明光学系と前記変調手段の間に回転可能に配置されたカラーホイールを含み、前記カラーホイールは、前記照明光学系からの光を少なくともＲ、Ｇ、Ｂ波長帯の光に分離する、請求項１４または１５に記載のプロジェクタ。
【請求項１７】
前記カラーホイールによって反射された一部の光は、前記ライトトンネル内に戻されそこで反射されて再び前記カラーホイールへ入射される、請求項１４ないし１６いずれかに記載のプロジェクタ。
【発明の詳細な説明】
【０００１】
【発明の属する技術分野】
本発明は、プロジェクタに関し、特に、ＤＭＤ（Ｄｉｇｉｔａｌ  Ｍｉｒｒｏｒ  Ｄｅｖｉｃｅ）を用いたＤＬＰ（Ｄｉｇｉｔａｌ  Ｌｉｇｈｔ  Ｐｒｏｃｅｓｓｉｎｇ：ＤＬＰはテキサスインスツルメンツ社の登録商標）方式のプロジェクタに関する。
【０００２】
【従来の技術】
ＤＬＰ方式プロジェクタは、半導体素子からなるＤＭＤに光を照射し、その反射光をレンズ等で拡大投影して画像表示を行うものである。本出願人により先に出願された特許文献１の図１に示すように、放電ランプからの光が回転楕円面鏡５２によって反射され、その反射光がＲ、Ｇ、Ｂのカラーフィルターを配列した円盤状のカラーホイール５３によって順次ＲＧＢ光に変換され、ＤＭＤ５６に入射される。ＤＭＤ５６は、画像データに基づきＲＧＢ光に同期して時分割駆動され、それらの反射光が投影レンズ５７を介してスクリーン５８上に順次表示される。
【０００３】
【特許文献１】
特許第３、１２１、８４３号明細書
【０００４】
【発明が解決しようとする課題】
しかしながら従来のプロジェクタには次のような課題がある。放電ランプは、その発光点が回転楕円面鏡等の反射鏡の焦点位置にくるように位置決めされ、反射鏡で反射された光は、ライトトンネルや光インテグレーター等の光伝送部材に入射されそこから均一な強度の光線束となって出力される。プロジェクタの使用が長期にわたると、放電ランプの電極が摩耗し、これにより電極間のアーク長が長くなる。アーク長が変化すると、放電ランプの発光点（電極間のほぼ中央）が当初の位置からずれ、その結果、光伝送部材の入射光の最適なスポット径も狂ってしまうことがある。例えば、入射光のスポット径が光伝送部材の入射口のサイズよりも大きくなってしまうと、入射光がすべて光伝送部材に入射されなくなってしまう。また、振動や衝撃等により放電ランプの発光点が光軸と直交する方向にずれた場合にも、同様に入射光の一部が光伝送部材に入射されないことがある。こうした事態は、放電ランプの光の利用効率の低下を招くものである。
【０００５】
また、図６に示すように、ＳＣＲ（Ｓｅｑｕｅｎｔｉａｌ  Ｃｏｌｏｒ  Ｒｅｃａｐｔｕｒｅ）カラーホイールによりフルカラー表示を行う場合、回転楕円面鏡３００の焦点位置上に、アパーチャー付きのライトトンネル３１０が配置される。ライトトンネル３１０は、矩形状の断面を有する中空のガラス部材であって、入射口３１１からの光を出射口３１２から均一な強度光線束として出射する。
入社口３１１には、中心にアパーチャー３１３が形成された部材３１４が取り付けられ、その部材３１４の裏面は反射膜がコーディングされている。放電ランプからの光は、アパーチャー３１４を介してライトトンネル３１０内に入射される。ＳＣＲカラーホイール３２０は、複数組のＲＧＢのダイクロイックコーティングが中心から半径方向にスパイラル状に延びている。ライトトンネル３１０の出射口３１２から光線束がＳＣＲカラーホイール３２０に入射されると、ＳＣＲカラーホイール３２０によってＲＧＢの帯状の光が透過され、そこを透過されなかった波長の光は、出射口３１２からライトトンネル３１０内に入射され、この光３１５はアパーチャー３１３の部材３１４の裏面において反射され、再びＳＣＲカラーホイール３２０に入射される。部材３１４による反射効率を高めるためには、そのアパーチャー３１３の径を小さくする必要があり、入射光のスポット径が大きくなってしまうと、その一部の光しかアパーチャー３１３を通過されず、光の利用効率が低下してしまう。これにより、プロジェクタによる投射映像の明るさも低下してしまう。
【０００６】
そこで本発明は、上記従来の課題を解決し、放電ランプの経時変化に伴う光軸からのずれを補正することが可能な照明光学系を提供することを目的とする。
さらに本発明は、最適なスポット径の光を得ることができる照明光学系を提供することを目的とする。
さらに本発明は、放電ランプの光利用効率の低下を防止することが可能な照明光学系を提供することを目的とする。
さらに本発明は、上述した照明光学系を用いることで明るい映像を投射することが可能なプロジェクタを提供することを目的とする
【０００７】
【課題を解決するための手段】
本発明に係る照明光学系は、放電ランプと、前記放電ランプからの光を反射する反射部材と、前記反射部材からの反射光に基づき前記放電ランプの位置を検出するための検出信号を出力する検出手段と、前記検出手段からの検出信号に基づき前記放電ランプの位置を制御する制御手段とを有する。これにより、放電ランプの経時変化等により放電ランプの発光点の光軸からオフセット（ずれ）たときに、その位置を可変することで、放電ランプから反射部材を介して集光される集光位置を所望の位置に調整することができる。光の集光位置を可変することで、その光のスポット径を最適なサイズに調整することができる。
【０００８】
好ましくは検出手段は、反射部材からの光の一部を分離するビームスプリッターと、ビームスプリッターによって分離された光を受光する受光手段とを有し、受光手段は、受光した光に応答する電気信号を前記検出信号として出力する。受光手段は、光センサを含み、光センサは複数の受光エリアを有し、各受光エリアからそれぞれ受光に応じた電気信号が出力される。さらに好ましくは複数の受光エリアは、それぞれ等しい受光面積を有し、各受光エリアがその中心に関して点対称に配される。また複数の受光エリアの中心が反射部材の光軸に一致する。
【０００９】
好ましくは制御手段は、放電ランプを前記反射部材の少なくとも光軸方向に移動させるためのアクチェーターを含む。アクチェーターは、放電ランプを光軸方向と直交する面内において移動させるものであっても良い。すなわち、放電ランプが３軸方向に移動される。好ましくは、制御手段は、複数の受光エリアからの電気信号に基づき放電ランプの光軸からのずれを判定し、その判定結果に基づきアクチェーターの駆動を制御する。さらに、制御手段は、複数の受光エリアからの電気信号に基づき各受光エリアの合計の照射面積の値を算出し、この算出値が予め定められた閾値よりも大きいと判定したときは、アクチェーターを駆動させ、算出値が減少するように放電ランプを光軸方向に移動させる。これにより、放電ランプのアーク長が変化したときあるいはアークの位置が変化したとき、その変化分に対する調整が行われる。
【００１０】
さらに照明光学系は、反射部材によって反射された光を伝送する光伝送部材を有することができる。例えば、所定のアスペクト比の入射口を有するライトトンネルまたは光インテグレーターである。ライトトンネルは、その入射口にアパーチャーが形成された部材を含み、該部材の裏面は反射鏡として機能するものであっても良い。
【００１１】
本発明に係るプロジェクタは、上述した本発明に係る照明光学系と、前記照明光学系からの光を変調する変調手段と、前記変調手段によって変調された光を投射する投射手段とを有するものである。
【００１２】
好ましくは変調手段は、ＤＭＤであるが、それ以外に液晶デバイスを用いてもよい。プロジェクタはさらに、照明光学系と変調手段の間に回転可能に配置されたカラーホイールを含み、カラーホイールは、照明光学系からの光を少なくともＲ、Ｇ、Ｂ波長帯の光に分離する。さらに、カラーホイールによって反射された光は、前記ライトトンネル内に戻されそこで反射されて再び前記カラーホイールへ入射されるようにしてもよい。
【００１３】
【発明の実施の形態】
以下、本発明の実施の形態について図面を参照して説明する。図１は本発明の第１の実施の形態に係る照明光学系の構成を示す図、図２はその斜視図である。
本実施の形態に係る照明光学系は、放電ランプの光軸のずれを補正する機能を有することを主な特徴とする。図１において、照明光学系１０は、Ｘ、Ｙ、Ｚ軸の３軸方向に移動可能な放電ランプ２０と、放電ランプ２０からの光を反射する反射鏡３０と、反射鏡３０によって集光された光線束を入射するライトトンネル４０と、反射鏡３０とライトトンネル４０との間に配置されるビームスプリッター５０と、ビームスプリッター５０によって反射された一部の光を受光するフォトセンサー６０と、フォトセンサー６０からの位置検出信号６１を受け取り放電ランプ２０の位置の判定及び制御を行う制御部７０と、制御部７０からの制御信号７１を受けて放電ランプ２０をＸ、Ｙ、Ｚ軸方向に駆動するランプバーナ駆動部８０とを有する。
【００１４】
放電ランプ２０は、例えば、キセノンランプ、メタルハライドランプ、水銀ランプ等が用いられる。放電ランプ２０は、石英ガラス管内に１対の電極を有し、１対の電極は反射鏡３０の光軸方向に一致される。１対の電極間のほぼ中央がアークの発光点２１とみなすことができる。放電ランプ２０の一端部２２は、ランプバーナ駆動部８０に固定される。ランプバーナ駆動部８０は、３軸方向に移動可能なアクチュエータを含む。アクチュエータは、図３に示すように、放電ランプ２０の一端部２１を支持する支持台１００と、該支持台１００に螺合されたＸ、Ｙ、Ｚ軸方向のリードネジ１０２と、リードネジ１０２の一端に結合されたＸ、Ｙ、Ｚ軸方向のステッピングモータ１０４とを含み、各ステッピングモータ１０４を駆動することによりリードネジ１０２を回転させ、支持台１００、すなわち放電ランプ２０をＸ、Ｙ、Ｚ軸方向に移動させることができる。なお、図１（ｂ）に示すように、Ｚ軸は光軸方向、Ｙ軸はＸ軸に直角でありかつ鉛直方向（図面において上下方向）、Ｘ軸はＹ軸およびＺ軸に直角な方向（図面において左右方向）である。
【００１５】
反射鏡３０は、例えば回転楕円面鏡から構成される。反射鏡３０の中心部には円形状の開口３１が形成され、この開口３１内に放電ランプ２０の一端部２２が挿入される。開口３１は、一端部２２よりも大きい径を有する。放電ランプ２０は、その両電極間のほぼ中心位置、言い換えればアークの発光点２１が反射鏡３０の焦点位置に一致するように配置される。放電ランプ２０から発光された光は、反射鏡３０によって反射され、その反射光は第２の焦点位置に向けて集光される。
【００１６】
反射鏡３０からの光が焦点を結ぶ位置近傍にライトトンネル４０が配置される。ライトトンネル４０は、その軸方向と直交する断面が矩形状を有する中空のガラス部材であり、入射口４１、出射口４２、それらの間の光伝送部分４３とを有する。ライトトンネル４０の軸方向の中心は、反射鏡３０の光軸と一致する。反射鏡３０から反射された光は、入射口４１を介して光伝送部分４３の内壁で多重反射され、出射口４２からほぼ均一な強度の光線束が出射される。出射口４２からの光線束は、そのアスペクト比に応じた大きさの光となって所望の領域を照射する。なお、ライトトンネル４０は、その入射口４１にアパーチャー付き反射板を含むものであってもよいし、これ以外にも、ロッド状の光インテグレーター等やその他の光伝送部材を用いることができる。
【００１７】
反射鏡３０とライトトンネル４０との間に所定の角度に傾斜されたビームスプリッター５０が介在される。ビームスプリッター５０は、公知のように入射光線束を二つに分ける光学素子である。反射鏡３０からの光は、その大部分がビームスプリッター５０を透過してライトトンネル４０に入射されるが、残り数％の光がビームスプリッター５０によって反射され、フォトセンサー６０に受光される。
【００１８】
フォトセンサー６０は、例えば、２次元的な受光面を有するＣＣＤ面センサーであり、受光した光を電気信号に変換し、放電ランプ２０の位置を検出するための位置検出信号として該電気信号を制御部７０に出力する。制御部７０は、フォトセンサー６０からの位置検出信号をモニターすることで、放電ランプ２０の位置ずれの調整、言い換えれば、反射鏡３０からの反射光が集光される位置を調整する。フォトセンサー６０は、図４に示すように、４つに分割された受光エリアＡ、Ｂ、Ｃ、Ｄを有し、これらの受光エリアＡ、Ｂ、Ｃ、Ｄはそれぞれ等しい正方形状の受光面積を有し、その中心Ｍに関して点対称である。受光エリアＡ、Ｂ、Ｃ、Ｄは、それぞれの照射された照射面積および／または照射強度に応じた電子信号を発生しし、該電気信号はさらにデジタル信号に変換される。制御部７０は、各受光エリア毎の電気信号から放電ランプ２０の光軸からのずれを判定する。
【００１９】
放電ランプ２０が正しい位置、すなわち、放電ランプ２０の発光点２１が反射鏡３０の焦点に一致しているとき、図４（ａ）に示すように、受光エリアＡ、Ｂ、Ｃ、Ｄ上の照射光６１の中心６２が受光エリアの中心Ｍに一致するように初期設定がなされる。この中心Ｍは、反射鏡３０の光軸に一致するものである。照射光６１の中心６２がフォトセンサーの中心Ｍに一致しているとき、各受光エリアＡ、Ｂ、Ｃ、Ｄの等しい面積に光が照射されている。各受光エリアＡ、Ｂ、Ｃ、Ｄの照射面積すなわち画素数から、“（ａ＋ｃ）−（ｂ＋ｄ）＝０”が成立する。ａ、ｂ、ｃ、ｄは、各受光エリアＡ、Ｂ、Ｃ、Ｄの受光面積に相当し、これはフォトセンサー６０からの位置検出信号から算出される。
【００２０】
図４（ｂ）に示すように、照射光６１の中心６２がフォトセンサー６０の中心Ｍからオフセットされたとき、“（ａ＋ｃ）−（ｂ＋ｄ）＝０”は成立しない。
その結果、制御部７０は、放電ランプ２０が、Ｘおよび／またはＹ方向にオフセットされていると判定する。そして、上記式が成立するようにランプバーナ駆動部８０の駆動制御を行い、照射光６１の中心６２が光軸（中心Ｍ）に一致するように放電ランプ２０のＸ、Ｙ方向の位置が補正される。これにより、ライトトンネル４０の入射口４１のほぼ中心に一致するようなスポット径を有する光が入射される。
【００２１】
図４（ｃ）に示すように、照射光６３の中心がフォトセンサー６０の中心Ｍに一致していたとしても、その照射光６３のスポット径が一定以上の大きさを有する場合には、放電ランプ２０がＺ軸方向（光軸方向）にずれていると判定する。
Ｚ軸方向のずれは、例えば、放電ランプ２０の長期使用によりその電極が消耗し、その結果、アーク長が長くなり、発光点２１の位置が変化することによって起こる。
【００２２】
制御部７０は、図４（ａ）に示す状態、すなわち放電ランプが正しい位置にあるときの受光エリアＡ、Ｂ、Ｃ、Ｄの受光面積の合計（照射された画素数）を最適値とし、図４（ｃ）に示すような大きなスポット径を有する照射光６３のときの各受光エリアの受光面積の合計Ｐ（Ｐ＝ａ＋ｂ＋ｃ＋ｄ）が閾値Ｓよりも大きいか否かを判定する（Ｐ＞Ｓ）。この閾値Ｓは、最適値そのものであってもよいし、その最適値に許容値を加えた値としてもよい。
【００２３】
合計Ｐが閾値Ｓよりも大きいと判定したときは、制御部７０は照射光６３のスポット径が最小となるようにランプバーナ駆動部８０を制御する。つまり、各受光エリアＡ、Ｂ、Ｃ、Ｄの受光面積の合計Ｐが最小となるような制御をする。これにより、放電ランプ２１の発光点２１が焦点にほぼ一致される。
【００２４】
本実施の形態によれば、放電ランプの経時変化、あるいは衝撃や振動などの外的な力等により放電ランプ２０の発光点２１が光軸からずれたとき、このずれを判定し、ずれを補正するように放電ランプ２０の位置を調整することで、放電ランプの光利用効率の低下を防止することができる。さらに、放電ランプ２０の位置を可変することで、ライトトンネル４０へ入射される光の最適なスポット径を調整することができる。
【００２５】
特に、ＳＣＲカラーホイールに用いられるライトトンネルの場合、図６に示したように、その入射口に円形状のアパーチャー付きの光学部材が設けられるが、入射光のスポット径をアパーチャー径よりも常に小さくなるような制御をすることで、入射光が遮断されることなくライトトンネルへ入射させることができる。
【００２６】
さらに、ライトトンネルの代わりに、中実の光学部材、例えば、ロッド状の光インテグレータを用いる場合、光インテグレータの入射面へのスポット径が小さくその照射面積が小さすぎると、照射部分の局所的な発熱により光インテグレータの入射面が熱により劣化したり損傷してしまうことがある。そこで、入射光のスポット径が、一定の照射面積よりも大きくなるように調整することが望ましい。
【００２７】
さらに、ライトトンネルや他の光伝送部材の入射口のアスペクト比が、４：３あるいは１６：９で構成されている場合、入射光のスポット径が、そのアスペクト比内に収まるような最適な大きさに調整することが可能となる。
【００２８】
次に、本発明による照明光学系をプロジェクタに適用した例を説明する。図５は、ＤＬＰ方式プロジェクタの構成を示すブロック図である。プロジェクタ２００は、画像信号２０１を入力し、これをＤＭＤと同じ画素数のＲＧＢデジタル画像データに変換する前処理部２１０と、前処理部２１０からのデジタル画像データに基づきＤＭＤ２５０の駆動を制御するとともにランプ駆動回路２３０及びカラーホイール駆動部２４０等の制御を行う制御部２２０とを有する。ランプ駆動回路２３０は、光源２６０の放電ランプの起動及び起動後の放電ランプのＡＣ駆動を制御する。ライトトンネル２７０は光源２６０からの光をＳＣＲカラーホイール２８０へ伝送する。光源２６０およびＳＣＲライトトンネル２７０は、第１の実施の形態に係る照明光学系１０に相当する。カラーホイール駆動部２４０は、ＳＣＲカラーホイール２８０を回転させ、光源２６０からの光をＲＧＢに分離させる。ＤＭＤ２５０は、各画素に相当するミラー素子を含み、ライトトンネル２７０および光学系２９０を介して照射されたＲＧＢ光をミラー素子により反射させる。投射光学系３００は、ＤＭＤ２５０からの反射光を拡大投射しスクリーン上に画像を表示させる。
【００２９】
本発明による照明光学系１０をＤＬＰ方式のプロジェクタに適用した場合、光源２６０からの光が有効に利用され、明るい投射映像を映し出すことができる。特に、光の利用効率の高いＳＣＲカラーホイールと併合することで、光利用効率をさらに改善させることが可能である。
【００３０】
本発明による照明光学系をＤＬＰ方式のプロジェクタに適用した例を説明したが、勿論、これ以外に液晶デバイスを用いたプロジェクタや、リア投射型のプロジェクタ等に広く適用することができる。
【００３１】
上記実施の態様では、ランプバーナ駆動部８０のアクチェーターにステッピングモータとリードネジを組み合わせた例を示したが、これ以外の機構によりアクチェーターを構成してもよい。さらに、放電ランプの位置を検出するためにＣＣＤ面センサーを用いたが、他のセンサーを用いるものであっても良い。
【００３２】
以上、本発明の好ましい実施の形態について詳述したが、本発明は係る特定の実施形態に限定されるものではなく、特許請求の範囲に記載された本発明の要旨の範囲内において、種々の変形・変更が可能である。
【発明の効果】
本発明の照明光学系によれば、放電ランプの位置を検出し、その位置が所定の位置、例えば光軸からずれている場合には、放電ランプの位置ずれを調整するようにしたので、放電ランプの経時変化やそれ以外の振動や衝撃等の外的な力により引き起こされる放電ランプの位置ずれを適宜修正することができ、その結果、放電ランプの光の利用効率が低下することを防止することができる。さらに、このような照明光学系をプロジェクタに適用することで、長期間使用しても、投射映像の明るさが低下せず、しかも、プロジェクタを携帯したときに生じる振動や衝撃があっても放電ランプが光軸からずれない耐久性のあるプロジェクタを提供することができる。
【図面の簡単な説明】
【図１】本発明の第１の実施の形態に係る照明光学系の構成を示す図である。
【図２】本発明の第１の実施の形態に係る照明光学系の斜視図である。
【図３】ランプバーナ駆動部の構成を示す平面図である。
【図４】フォトセンサーの構成を示す図である。
【図５】本発明に係るプロジェクタの構成を示すブロック図である。
【図６】ＳＣＲカラーホイールを用いたときのプロジェクタの光学系の一部を示す図である。
【符号の説明】
１０：照明光学系              ２０：放電ランプ
３０：反射鏡                  ４０：ライトトンネル
５０：ビームスプリッター      ６０：フォトセンサー
７０：制御部                  ８０：ランプバーナ駆動部
２１０：前処理部、            ２２０：制御部、
２３０：ランプ駆動回路、      ２４０：カラーホイール駆動部、
２５０：ＤＭＤ、              ２６０：光源ランプ、
２７０：ライトトンネル        ２８０：ＳＣＲカラーホイール
【図１】
2004239933.tif 000003
【図２】
2004239933.tif 000004
【図３】
2004239933.tif 000005
【図４】
2004239933.tif 000006
【図５】
2004239933.tif 000007
【図６】
2004239933.tif 000008